【手続補正書】
【提出日】平成24年8月3日(2012.8.3)
【手続補正１】
【補正対象書類名】明細書
【補正対象項目名】０００６
【補正方法】変更
【補正の内容】
【０００６】
請求項１に記載の遊技機は、
遊技の進行に伴って各種演出を表示可能な演出表示手段と、
遊技領域内に配置され遊技媒体が入賞可能な始動口と、
該始動口に遊技媒体が入賞したことを検出する入賞状態検出手段と、
該入賞状態検出手段による前記遊技媒体の検出に基づいて抽選を行う抽選手段と、
該抽選手段の抽選結果に基づいて抽選に関する表示態様を決定するとともに、該表示態様を前記演出表示手段に導出する表示制御手段と、
前記抽選手段の抽選結果が確率変動大当りの場合または前記抽選手段の抽選結果が通常大当りの場合、遊技者が特定の利益を得ることが可能な特定利益遊技状態を付与する特定利益付与手段と、
前記抽選手段の抽選結果が特殊大当りの場合または前記抽選手段の抽選結果が小当りの場合、前記遊技者に、前記特定の利益よりも利益が少ない所定の利益を遊技者が得ることが可能な所定利益遊技状態を付与する所定利益付与手段と、
前記抽選手段の前記抽選結果が前記確率変動大当りの場合または前記抽選手段の抽選結果が特殊大当りの場合、前記特定利益遊技状態の後に、または前記所定利益遊技状態の後に、前記抽選手段による抽選において前記特定利益遊技状態が付与される確率を通常時の確率よりも高く設定した確率変動状態とする確率変動状態付与手段と、
前記抽選手段の抽選結果が小当りの場合に、前記所定利益遊技状態が付与される前と後とで前記抽選手段による抽選において前記特定利益遊技状態が付与される確率を変化させずに維持する抽選確率維持手段と、を備え、
前記表示制御手段は、
出現可能な共通の前記表示態様として、少なくとも、所定の位置に表示された大当り領域、
該大当り領域の近傍に表示され、前記抽選の後の前記確率変動状態に対する期待度を示唆する期待度大領域、
及び前記大当り領域に対し前記期待度大領域よりも離れた位置に表示され、前記期待度大領域に比してより低い前記抽選の後の前記確率変動状態に対する期待度を示唆する期待度小領域からなる期待度領域演出と、
前記抽選結果が前記確率変動大当りまたは前記通常大当りである場合に出現可能な前記表示態様として、前記期待度領域演出の実行中に、前記大当り領域を指し示す第一示唆演出と、
前記抽選結果が前記特殊大当りである場合に出現可能な前記表示態様として、前記期待度大領域または前記期待度小領域のいずれか一方を、所定の第一振分率に従って選択するとともに、前記期待度領域演出の実行中に、選択された領域を指し示す第二示唆演出と、
前記抽選結果が前記小当りである場合に出現可能な前記表示態様として、前記期待度大領域または前記期待度小領域のいずれか一方を、所定の第二振分率に従って選択するとともに、前記期待度領域演出の実行中に、選択された領域を指し示す第三示唆演出と、を有し、
前記第二示唆演出の前記第一振分率における前記期待度大領域が選択される割合は、前記期待度小領域が選択される割合に比して高くなるように設定されていることで、前記確率変動状態を示唆するようにされ、
前記第三示唆演出の前記第二振分率における前記期待度大領域が選択される割合は、
遊技状態が前記通常時であるときに、前記期待度小領域が選択される割合に比して低く設定されていることで、前記通常時を維持することを示唆するようにされ、
前記遊技状態が前記確率変動状態であるときに、前記期待度小領域が選択される割合に比して高く設定されていることで、前記確率変動状態であることを示唆するようにされている、
遊技機であって、
特別図柄が表示される特別図柄表示器と、
前記抽選手段の抽選結果に対応した前記特別図柄の停止図柄を決定する停止図柄決定手段と、
前記入賞状態検出手段による前記遊技球の検出に基づいて前記特別図柄を変動させるとともに、前記停止図柄決定手段によって決定された停止図柄で前記特別図柄の変動を停止させる特別図柄変動制御手段と、
前記始動口に対し前記遊技球の入賞が可能な状態へと変化させる頻度を高くする入賞率変更手段と、
前記抽選手段の前記抽選結果が時短条件に合致した場合、前記特定利益遊技状態の後に、または前記所定利益遊技状態の後に、前記特別図柄表示器で変動する前記特別図柄の変動時間を通常時よりも相対的に短くするとともに、前記入賞率変更手段によって前記始動口への入賞のし易さを通常よりも増加させるようにした時短遊技状態を発生させる時短遊技状態付与手段と、
をさらに備え、
前記第二示唆演出は、
前記抽選結果が前記時短条件に合致する場合は、
遊技状態が前記時短遊技状態でないときは、前記第一振分率において前記期待度大領域内における前記大当り領域寄りを示唆する割合が最も高く設定されていることで、前記確率変動状態および前記時短遊技状態を示唆するようにされ、
前記抽選結果が前記時短条件に合致しない場合は、
遊技状態が前記時短遊技状態でないときは、前記第一振分率において前記大当り領域に対して前記期待度大領域内における反対寄りを示唆する割合が最も高く設定されていることで、前記確率変動状態を示唆するものの前記時短遊技状態としないことを示唆するようにされた、
ことを特徴とする。
【手続補正２】
【補正対象書類名】特許請求の範囲
【補正対象項目名】全文
【補正方法】変更
【補正の内容】
【特許請求の範囲】
【請求項１】
遊技の進行に伴って各種演出を表示可能な演出表示手段と、
遊技領域内に配置され遊技媒体が入賞可能な始動口と、
該始動口に遊技媒体が入賞したことを検出する入賞状態検出手段と、
該入賞状態検出手段による前記遊技媒体の検出に基づいて抽選を行う抽選手段と、
該抽選手段の抽選結果に基づいて抽選に関する表示態様を決定するとともに、該表示態様を前記演出表示手段に導出する表示制御手段と、
前記抽選手段の抽選結果が確率変動大当りの場合または前記抽選手段の抽選結果が通常大当りの場合、遊技者が特定の利益を得ることが可能な特定利益遊技状態を付与する特定利益付与手段と、
前記抽選手段の抽選結果が特殊大当りの場合または前記抽選手段の抽選結果が小当りの場合、前記遊技者に、前記特定の利益よりも利益が少ない所定の利益を遊技者が得ることが可能な所定利益遊技状態を付与する所定利益付与手段と、
前記抽選手段の前記抽選結果が前記確率変動大当りの場合または前記抽選手段の抽選結果が特殊大当りの場合、前記特定利益遊技状態の後に、または前記所定利益遊技状態の後に、前記抽選手段による抽選において前記特定利益遊技状態が付与される確率を通常時の確率よりも高く設定した確率変動状態とする確率変動状態付与手段と、
前記抽選手段の抽選結果が小当りの場合に、前記所定利益遊技状態が付与される前と後とで前記抽選手段による抽選において前記特定利益遊技状態が付与される確率を変化させずに維持する抽選確率維持手段と、を備え、
前記表示制御手段は、
出現可能な共通の前記表示態様として、少なくとも、所定の位置に表示された大当り領域、
該大当り領域の近傍に表示され、前記抽選の後の前記確率変動状態に対する期待度を示唆する期待度大領域、
及び前記大当り領域に対し前記期待度大領域よりも離れた位置に表示され、前記期待度大領域に比してより低い前記抽選の後の前記確率変動状態に対する期待度を示唆する期待度小領域からなる期待度領域演出と、
前記抽選結果が前記確率変動大当りまたは前記通常大当りである場合に出現可能な前記表示態様として、前記期待度領域演出の実行中に、前記大当り領域を指し示す第一示唆演出と、
前記抽選結果が前記特殊大当りである場合に出現可能な前記表示態様として、前記期待度大領域または前記期待度小領域のいずれか一方を、所定の第一振分率に従って選択するとともに、前記期待度領域演出の実行中に、選択された領域を指し示す第二示唆演出と、
前記抽選結果が前記小当りである場合に出現可能な前記表示態様として、前記期待度大領域または前記期待度小領域のいずれか一方を、所定の第二振分率に従って選択するとともに、前記期待度領域演出の実行中に、選択された領域を指し示す第三示唆演出と、を有し、
前記第二示唆演出の前記第一振分率における前記期待度大領域が選択される割合は、前記期待度小領域が選択される割合に比して高くなるように設定されていることで、前記確率変動状態を示唆するようにされ、
前記第三示唆演出の前記第二振分率における前記期待度大領域が選択される割合は、
遊技状態が前記通常時であるときに、前記期待度小領域が選択される割合に比して低く設定されていることで、前記通常時を維持することを示唆するようにされ、
前記遊技状態が前記確率変動状態であるときに、前記期待度小領域が選択される割合に比して高く設定されていることで、前記確率変動状態であることを示唆するようにされている、
遊技機であって、
特別図柄が表示される特別図柄表示器と、
前記抽選手段の抽選結果に対応した前記特別図柄の停止図柄を決定する停止図柄決定手段と、
前記入賞状態検出手段による前記遊技球の検出に基づいて前記特別図柄を変動させるとともに、前記停止図柄決定手段によって決定された停止図柄で前記特別図柄の変動を停止させる特別図柄変動制御手段と、
前記始動口に対し前記遊技球の入賞が可能な状態へと変化させる頻度を高くする入賞率変更手段と、
前記抽選手段の前記抽選結果が時短条件に合致した場合、前記特定利益遊技状態の後に、または前記所定利益遊技状態の後に、前記特別図柄表示器で変動する前記特別図柄の変動時間を通常時よりも相対的に短くするとともに、前記入賞率変更手段によって前記始動口への入賞のし易さを通常よりも増加させるようにした時短遊技状態を発生させる時短遊技状態付与手段と、
をさらに備え、
前記第二示唆演出は、
前記抽選結果が前記時短条件に合致する場合は、
遊技状態が前記時短遊技状態でないときは、前記第一振分率において前記期待度大領域内における前記大当り領域寄りを示唆する割合が最も高く設定されていることで、前記確率変動状態および前記時短遊技状態を示唆するようにされ、
前記抽選結果が前記時短条件に合致しない場合は、
遊技状態が前記時短遊技状態でないときは、前記第一振分率において前記大当り領域に対して前記期待度大領域内における反対寄りを示唆する割合が最も高く設定されていることで、前記確率変動状態を示唆するものの前記時短遊技状態としないことを示唆するようにされた、
ことを特徴とする遊技機。